(57)【要約】  本発明では、正極１０、負極２０および正極１０と負極２０との間に配置されたセパレータを含む電極組立体と、電解質とが外装体に収容された二次電池であって、正極１０および負極２０はそれぞれ、平面視において輪郭面１１、２１の一部に相互に隣接する湾曲面１２、２２を有し、かつ、負極２０は、平面視において正極１０と負極２０との間にギャップＧが形成されるように正極１０よりも突出して配置されており、および負極２０の湾曲面２２の曲率半径Ｒ１と正極１０の湾曲面１２の曲率半径Ｒ２との差の絶対値｜Ｒ１−Ｒ２｜をギャップＧで除した値（｜Ｒ１−Ｒ２｜／Ｇ）が０．５０以上１．１０以下であり、曲率半径は、湾曲面の一端、湾曲面の他端、および湾曲面における一端と他端の中間点のいずれからも等距離にある長さを指すことを特徴とする、二次電池が供される。
2017208531.tif 000002
【特許請求の範囲】
【請求項１】
正極、負極および該正極と該負極との間に配置されたセパレータを含む電極組立体と、電解質とが外装体に収容された二次電池であって、
前記正極および前記負極はそれぞれ、平面視において輪郭面の一部に相互に隣接する湾曲面を有し、かつ、前記負極は、平面視において前記正極と前記負極との間にギャップＧが形成されるように前記正極よりも突出して配置されており、および
前記負極の前記湾曲面の曲率半径Ｒ１と前記正極の前記湾曲面の曲率半径Ｒ２との差の絶対値｜Ｒ１−Ｒ２｜を前記ギャップＧで除した値（｜Ｒ１−Ｒ２｜／Ｇ）が０．５０以上１．１０以下であり、前記曲率半径は、前記湾曲面の一端、前記湾曲面の他端、および前記湾曲面における該一端と該他端の中間点のいずれからも等距離にある長さを指すことを特徴とする、二次電池。
【請求項２】
前記電極組立体は、前記正極、前記負極および前記セパレータを含む単位電極ユニットが複数積層された平面積層構造を有することを特徴とする、請求項１に記載の二次電池。
【請求項３】
前記ギャップＧの長さが、０．５ｍｍ以上２．０ｍｍ以下であることを特徴とする、請求項１又は２に記載の二次電池。
【請求項４】
前記曲率半径Ｒ１が３．０ｍｍ以上５００ｍｍ以下であることを特徴とする、請求項１〜３のいずれかに記載の二次電池。
【請求項５】
前記外装体は、平面視において輪郭面の一部に前記負極の前記湾曲面に隣接する外装体湾曲面を有し、
前記外装体の湾曲面と、前記正極および前記負極の前記湾曲面とが外側方向に向かって湾曲している場合、前記外装体湾曲面の曲率半径Ｒ３が前記負極の前記湾曲面の曲率半径Ｒ１よりも大きいことを特徴とする、請求項１〜４のいずれかに記載の二次電池。
【請求項６】
前記外装体は、平面視において輪郭面の一部に前記負極の前記湾曲面に隣接する外装体湾曲面を有し、
前記外装体の湾曲面と、前記正極および前記負極の前記湾曲面とが内側方向に向かって湾曲している場合、前記外装体湾曲面の曲率半径Ｒ３が前記負極の前記湾曲面の曲率半径Ｒ１よりも小さいことを特徴とする、請求項１〜４のいずれかに記載の二次電池。
【請求項７】
前記正極および前記負極がリチウムイオンを吸蔵放出可能な電極である、請求項１〜６のいずれかに記載の二次電池。
【請求項８】
前記正極には、リチウムと、コバルト、ニッケル、マンガンおよび鉄から成る群から選択される少なくとも１種の遷移金属とを含むリチウム遷移金属複合酸化物が正極活物質として含まれ、
前記負極には、炭素材料が負極活物質として含まれることを特徴とする、請求項１〜７のいずれかに記載の二次電池。
【発明の詳細な説明】
【技術分野】
【０００１】
本発明は、二次電池に関する。
【背景技術】
【０００２】
従前より充放電が繰り返し可能な二次電池が様々な用途に用いられている。例えば、二次電池は、スマートフォン、ノートパソコン等の電子機器の電源として用いられている。【０００３】
二次電池は、電極組立体と電解質とが外装体に収容および封入された構造を有している。電極組立体は、正極、負極、および正極と負極との間に配置されたセパレータを含んでいる。電極組立体のタイプとしては、電極組立体が正極、負極およびセパレータを含む単位電極ユニットが複数積層された平面積層構造を有するタイプが存在する。また、正極および負極はそれぞれ、平面視において輪郭面の一部に相互に隣接する湾曲面を有するものが存在する。この場合、負極は、平面視において正極と負極との間にギャップが形成されるように正極よりも突出して配置されている。
【先行技術文献】
【特許文献】
【０００４】
【特許文献１】特開２０１６−５０２７４２号公報
【特許文献２】特開２０１５−５１９６９１号公報
【発明の概要】
【発明が解決しようとする課題】
【０００５】
しかしながら、平面視における正極と負極との間のギャップが相対的に大きいと負極として使用されない部分が増えてしまい、その結果として二次電池のエネルギー密度が低下するおそれがある。【０００６】
本発明は、エネルギー密度低下の抑止が可能な二次電池を提供することを目的とする。
【課題を解決するための手段】
【０００７】
上記目的を達成するために、本発明では、
正極、負極および正極と負極との間に配置されたセパレータを含む電極組立体と、電解質とが外装体に収容された二次電池であって、
正極および負極はそれぞれ、平面視において輪郭面の一部に相互に隣接する湾曲面を有し、かつ、負極は、平面視において正極と負極との間にギャップＧが形成されるように正極よりも突出して配置されており、および
負極の湾曲面の曲率半径Ｒ１と正極の湾曲面の曲率半径Ｒ２との差の絶対値｜Ｒ１−Ｒ２｜をギャップＧで除した値（｜Ｒ１−Ｒ２｜／Ｇ）が０．５０以上１．１０以下であり、曲率半径は、湾曲面の一端、湾曲面の他端、および湾曲面における一端と他端の中間点のいずれからも等距離にある長さを指すことを特徴とする、二次電池が提供される。
【発明の効果】
【０００８】
本発明によれば、エネルギー密度低下の抑止が可能である。そのため、本発明によれば、二次電池の機能を好適に発揮することが可能である。
【図面の簡単な説明】
【０００９】
【図１】図１は、本発明の一実施形態に係る二次電池の構成要素である正極と負極の平面視における位置関係を示した概略平面図である。
【図２】図２は、本発明の一実施形態に係る二次電池の構成要素である正極と負極の平面視における位置関係を示した概略平面図である。
【図３】図３は、本発明の一実施形態に係る二次電池の構成要素である正極と負極の平面視における位置関係を示した概略平面図である。
【図４】図４は、湾曲中心点の概念について示した概略図である。
【発明を実施するための形態】
【００１０】
以下、本発明の一実施形態に係る二次電池について説明する。本明細書でいう「二次電池」という用語は充電・放電の繰り返しが可能な電池のことを指す。「二次電池」は、その名称に過度に拘泥されるものではなく、例えば、「蓄電デバイス」なども包含し得る。又、本明細書でいう「平面視」とは、対象物（例えば、二次電池）を載置してその厚み（高さ）方向の真上から見たときの状態のことであり、平面図と同意である。まず、本発明の一実施形態に係る二次電池の「特徴部分」について説明する前に、本発明の一実施形態に係る二次電池の基本的構成について説明しておく。
【００１１】
［本発明の二次電池の構成］  
本発明の一実施形態に係る二次電池は、電極組立体と電解質とが外装体に収容および封入された構造を有している。電極組立体は、正極、負極、および正極と負極との間に配置されたセパレータを含んでいる。本発明の一実施形態では、電極組立体のタイプは、電極組立体が正極、負極およびセパレータを含む単位電極ユニットが複数積層された平面積層構造を有するタイプとなっている。また、外装体内には、正極および負極と外装体との間の電子的接触を防止するために、スペーサーが設けられている。正極は、正極用集電リードを介して、正極用外部端子に電子的に連結されている。正極用外部端子はシール部により外装体に固定され、当該シール部は電解質の液漏れを防止する。同様に、負極は、負極用集電リードを介して負極用外部端子に電子的に連結されている。負極用外部端子はシール部により外装体に固定され、シール部が電解質の液漏れを防止する。
【００１２】
正極は少なくとも正極材層および正極集電体から構成されており、正極集電体の少なくとも片面に正極材層が設けられている。正極材層には電極活物質として正極活物質が含まれている。負極は少なくとも負極材層および負極集電体から構成されており、負極集電体の少なくとも片面に負極材層が設けられている。負極材層には電極活物質として負極活物質が含まれている。
【００１３】
正極材層に含まれる正極活物質および負極材層に含まれる負極活物質は、二次電池において電子の受け渡しに直接関与する物質であり、充放電、すなわち電池反応を担う正負極の主物質である。より具体的には、「正極材層に含まれる正極活物質」および「負極材層に含まれる負極活物質」に起因して電解質にイオンがもたらされ、かかるイオンが正極と負極との間で移動して電子の受け渡しが行われて充放電がなされる。正極材層および負極材層は特にリチウムイオンを吸蔵放出可能な層であることが好ましい。つまり、電解質を介してリチウムイオンが正極と負極との間で移動して電池の充放電が行われる二次電池が好ましい。充放電にリチウムイオンが関与する場合、本実施態様に係る二次電池は、いわゆる“リチウムイオン電池”に相当する。
【００１４】
正極材層の正極活物質は例えば粒状体から成るところ、粒子同士の十分な接触と形状保持のためにバインダー（“結着材”とも称される）が正極材層に含まれていることが好ましい。更には、電池反応を推進する電子の伝達を円滑にするために導電助剤が正極材層に含まれていてよい。同様に、負極材層の負極活物質は例えば粒状体から成るところ、粒子同士の十分な接触と形状保持のためにバインダーが含まれることが好ましく、電池反応を推進する電子の伝達を円滑にするために導電助剤が負極材層に含まれていてよい。このように、複数の成分が含有されて成る形態ゆえ、正極材層および負極材層はそれぞれ“正極合材層”および“負極合材層”などと称すこともできる。
【００１５】
正極活物質は、リチウムイオンの吸蔵放出に資する物質であることが好ましい。かかる観点でいえば、正極活物質は例えばリチウム含有複合酸化物であることが好ましい。より具体的には、正極活物質は、リチウムと、コバルト、ニッケル、マンガンおよび鉄から成る群から選択される少なくとも１種の遷移金属とを含むリチウム遷移金属複合酸化物であることが好ましい。つまり、二次電池の正極材層においては、そのようなリチウム遷移金属複合酸化物が正極活物質として好ましくは含まれている。例えば、正極活物質はコバルト酸リチウム、ニッケル酸リチウム、マンガン酸リチウム、リン酸鉄リチウム、または、それらの遷移金属の一部を別の金属で置き換えたものであってよい。このような正極活物質は、単独種として含まれてよいものの、二種以上が組み合わされて含まれていてもよい。より好適な態様では正極材層に含まれる正極活物質がコバルト酸リチウムとなっている。
【００１６】
正極材層に含まれる得るバインダーとしては、特に制限されるわけではないが、ポリフッ化ビリニデン、ビリニデンフルオライド−ヘキサフルオロプロピレン共重合体、ビリニデンフルオライド−テトラフルオロチレン共重合体およびポリテトラフルオロチレンなどから成る群から選択される少なくとも１種を挙げることができる。正極材層に含まれ得る導電助剤としては、特に制限されるわけではないが、サーマルブラック、ファーネスブラック、チャンネルブラック、ケッチェンブラックおよびアセチレンブラック等のカーボンブラック、黒鉛、カーボンナノチューブおよび気相成長炭素繊維等の炭素繊維、銅、ニッケル、アルミニウムおよび銀等の金属粉末、ならびに、ポリフェニレン誘導体などから選択される少なくとも１種を挙げることができる。より好適な態様では正極材層のバインダーはポリフッ化ビニリデンであり、また、別のより好適な態様では正極材層の導電助剤はカーボンブラックである。さらに好適な態様では、正極材層のバインダーおよび導電助剤が、ポリフッ化ビニリデンとカーボンブラックとの組合せとなっている。
【００１７】
負極活物質は、リチウムイオンの吸蔵放出に資する物質であることが好ましい。かかる観点でいえば、負極活物質は例えば各種の炭素材料、酸化物、または、リチウム合金などであることが好ましい。
【００１８】
負極活物質の各種の炭素材料としては、黒鉛（天然黒鉛、人造黒鉛）、ハードカーボン、ソフトカーボン、ダイヤモンド状炭素などを挙げることができる。特に、黒鉛は電子伝導性が高く、負極集電体との接着性が優れる点などで好ましい。負極活物質の酸化物としては、酸化シリコン、酸化スズ、酸化インジウム、酸化亜鉛および酸化リチウムなどから成る群から選択される少なくとも１種を挙げることができる。負極活物質のリチウム合金は、リチウムと合金形成され得る金属であればよく、例えば、Ａｌ、Ｓｉ、Ｐｂ、Ｓｎ、Ｉｎ、Ｂｉ、Ａｇ、Ｂａ、Ｃａ、Ｈｇ、Ｐｄ、Ｐｔ、Ｔｅ、Ｚｎ、Ｌａなどの金属とリチウムとの２元、３元またはそれ以上の合金であってよい。このような酸化物は、その構造形態としてアモルファスとなっていることが好ましい。結晶粒界または欠陥といった不均一性に起因する劣化が引き起こされにくくなるからである。より好適な態様では負極材層の負極活物質が人造黒鉛となっている。
【００１９】
負極材層に含まれる得るバインダーとしては、特に制限されるわけではないが、スチレンブタジエンゴム、ポリアクリル酸、ポリフッ化ビニリデン、ポリイミド系樹脂およびポリアミドイミド系樹脂から成る群から選択される少なくとも１種を挙げることができる。より好適な実施態様では負極材層に含まれるバインダーはスチレンブタジエンゴムとなっている。負極材層に含まれる得る導電助剤としては、特に制限されるわけではないが、サーマルブラック、ファーネスブラック、チャンネルブラック、ケッチェンブラックおよびアセチレンブラック等のカーボンブラック、黒鉛、カーボンナノチューブおよび気相成長炭素繊維等の炭素繊維、銅、ニッケル、アルミニウムおよび銀等の金属粉末、ならびに、ポリフェニレン誘導体などから選択される少なくとも１種を挙げることができる。なお、負極材層には、電池製造時に使用された増粘剤成分（例えばカルボキシルメチルセルロース）に起因する成分が含まれていてもよい。
【００２０】
さらに好適な態様では、負極材層における負極活物質およびバインダーが人造黒鉛とスチレンブタジエンゴムとの組合せとなっている。
【００２１】
正極および負極に用いられる正極集電体および負極集電体は電池反応に起因して活物質で発生した電子を集めたり供給したりするのに資する部材である。このような集電体は、シート状の金属部材であってよく、多孔または穿孔の形態を有していてよい。例えば、集電体は金属箔、パンチングメタル、網またはエキスパンドメタル等であってよい。正極に用いられる正極集電体は、アルミニウム、ステンレスおよびニッケル等から成る群から選択される少なくとも１種を含んだ金属箔から成るものが好ましく、例えばアルミニウム箔であってよい。一方、負極に用いられる負極集電体は、銅、ステンレスおよびニッケル等から成る群から選択される少なくとも１種を含んだ金属箔から成るものが好ましく、例えば銅箔であってよい。
【００２２】
セパレータは、正負極の接触による短絡防止および電解質保持などの観点から設けられる部材である。換言すれば、セパレータは、正極と負極との間の電子的接触を防止しつつイオンを通過させる部材であるといえる。好ましくは、セパレータは多孔性または微多孔性の絶縁性部材であり、その小さい厚みに起因して膜形態を有している。あくまでも例示にすぎないが、ポリオレフィン製の微多孔膜がセパレータとして用いられてよい。この点、セパレータとして用いられる微多孔膜は、例えば、ポリオレフィンとしてポリエチレン（ＰＥ）のみ又はポリエチレン（ＰＰ）のみを含んだものであってよい。更にいえば、セパレータは、“ＰＥ製の微多孔膜”と“ＰＰ製の微多孔膜”とから構成される積層体であってもよい。セパレータの表面は無機粒子コート層および／または接着層等により覆われていてもよい。セパレータの表面は接着性を有していてもよい。
【００２３】
電解質は電極（正極・負極）から放出された金属イオンの移動を助力する。電解質は有機電解質および有機溶媒などの“非水系”の電解質であっても、または水を含む“水系”の電解質であってもよい。本発明の二次電池は、電解質として“非水系”の溶媒と、溶質とを含む電解質が用いられた非水電解質二次電池が好ましい。電解質は液体状またはゲル状などの形態を有し得る（なお、本明細書において“液体状”の非水電解質は「非水電解質液」とも称される）。
【００２４】
具体的な非水電解質の溶媒としては、少なくともカーボネートを含んで成るものが好ましい。かかるカーボネートは、環状カーボネート類および／または鎖状カーボネート類であってもよい。特に制限されるわけではないが、環状カーボネート類としては、プロピレンカーボネート（ＰＣ）、エチレンカーボネート（ＥＣ）、ブチレンカーボネート（ＢＣ）およびビニレンカーボネート（ＶＣ）から成る群から選択される少なくとも１種を挙げることができる。鎖状カーボネート類としては、ジメチルカーボネート（ＤＭＣ）、ジエチルカーボネート（ＤＥＣ）、エチルメチルカーボネート（ＥＭＣ）およびジプロピルカーボネート（ＤＰＣ）から成る群から選択される少なくも１種を挙げることができる。本発明の１つの好適な実施態様では、非水電解質として環状カーボネート類と鎖状カーボネート類との組合せが用いられ、例えばエチレンカーボネートとジエチルカーボネートとの混合物が用いられる。また、具体的な非水電解質の溶質としては、好ましくは例えばＬｉＰＦ６、ＬｉＢＦ４等のＬｉ塩が用いられる。
【００２５】
外装体は通常、導電性ハードケースであり、本体部および蓋部からなっている。本体部は当該外装体の底面を構成する底部および側面部から成る。本体部と蓋部とは、電極組立体、電解質、集電リードおよび外部端子の収容後に密封される。密封方法としては、特に限定されるものではなく、例えばレーザー照射法等が挙げられる。本体部および蓋部を構成する材料としては、二次電池の分野でハードケース型外装体を構成し得るあらゆる材料が使用可能である。そのような材料は電子の移動が達成され得る材料であればよく、例えばアルミニウム、ニッケル、鉄、銅、ステンレスなどの導電性材料が挙げられる。本体部および蓋部の寸法は、主として電極組立体の寸法に応じて決定され、例えば電極組立体を収容したとき、外装体内での電極組立体の移動（ズレ）が防止される程度の寸法を有することが好ましい。電極組立体の移動を防止することにより、電極組立体の破壊が防止され、二次電池の安全性が向上する。なお、外装体は、導電性を有する限り、ラミネートフィルムからなるパウチ等のフレキシブルケースであってもよい。
【００２６】
スペーサーとしては、二次電池の分野で使用されているあらゆるスペーサーが使用可能である。スペーサーを構成する材料としては、特に限定されるものではないが、ポリオレフィン（ポリエチレン、ポリピロピレン）、ポリエステル（ポリエチレンテレフタレート、ポリブチレンテレフタレート）、アクリルポリマー等種々の絶縁性ポリマーが挙げられる。また、スペーサーは、特に限定されるものではないが、フィルム、不織布の形態を有していてよい。
【００２７】
正極用集電リードおよび負極用集電リードとしては、二次電池の分野で使用されているあらゆる集電リードが使用可能である。そのような集電リードは、電子の移動が達成され得る材料から構成されればよく、例えばアルミニウム、ニッケル、鉄、銅、ステンレスなどの導電性材料から構成される。正極用集電リードはアルミニウムから構成されることが好ましく、負極用集電リードはニッケルから構成されることが好ましい。正極用集電リードおよび負極用集電リードの形態は特に限定されず、例えば、線又はプレート状であってよい。
【００２８】
［本発明の二次電池の特徴部分］  
本発明の一実施形態に係る二次電池は、その構成要素である電極組立体の正極と負極の配置および形態に特徴を有している。以下、その特徴について説明する。なお、上述のように電極組立体は、正極および負極に加えて、正極と負極との間に配置されるセパレータも含んでいるが、下記内容および図面は正極と負極とにスポットを当てたものとすることを予め述べておく。
【００２９】
（第１実施形態）
本発明の第１実施形態に係る二次電池では、図１に示すように正極１０は平面視においてその輪郭面１１の一部に湾曲面１２を有している。具体的には、かかる湾曲面１２は正極１０のコーナー部１３に形成されている。また、負極２０は平面視においてその輪郭面２１の一部に湾曲面２２を有している。具体的には、かかる湾曲面２２は負極２０のコーナー部２３に形成されている。図１に示すように、正極１０の湾曲面１２と負極２０の湾曲面２２は平面視においていずれも外側方向に向かって湾曲するように形成され、正極１０の湾曲面１２と負極２０の湾曲面２２は相互に隣接するように配置されている。また、負極２０は、平面視において正極１０と負極２０との間にギャップＧが形成されるように正極１０より突出するように配置されている。なお、ここでいう「ギャップ」とは、図１に示すように平面視において正極１０の湾曲面１２の頂部１２ａと負極２０の湾曲面２２の頂部２２ａとの間の部分を指し、後述の「ギャップ長さ」とは、平面視において正極１０の湾曲面１２の頂部１２ａと負極２０の湾曲面２２の頂部２２ａとを通る垂線の長さを指す。
【００３０】
（第２実施形態）
本発明の第２実施形態に係る二次電池では、図２に示すように正極１０’は平面視においてその輪郭面１１’の一部に湾曲面１２’を有している。具体的には、かかる湾曲面１２’は正極１０’のコーナー部１３’に形成されている。また、負極２０’は平面視においてその輪郭面２１’の一部に湾曲面２２’を有している。具体的には、かかる湾曲面２２’は負極２０’のコーナー部２３’に形成されている。図２に示すように、正極１０’の湾曲面１２’と負極２０’の湾曲面２２’はいずれも内側方向に向かって湾曲するように形成され、正極１０’の湾曲面１２’と負極２０’の湾曲面２２’は相互に隣接するように配置されている。また、負極２０’は、平面視において正極１０’と負極２０’との間にギャップＧ’が形成されるように正極１０’より突出するように配置されている。この場合、「内側方向」に向かって湾曲した負極２０’の湾曲面２２’の湾曲角度θは湾曲中心点Ｃを基点として好ましくは４５°以上１３５°以下であり、より好ましくは６０°以上１２０°以下である。なお、ここでいう「湾曲中心点」とは、内側方向に向かって湾曲した湾曲面の一端、内側方向に向かって湾曲した湾曲面の他端、および内側方向に向かって湾曲した湾曲面における一端と他端の中間点のいずれからも等距離にある点を指す。
【００３１】
（第３実施形態）
本発明の第３実施形態に係る二次電池では、図３に示すように正極１０’’は平面視においてその輪郭面１１’’の一部に湾曲面１２’’を有している。また、負極２０’’は平面視においてその輪郭面２１’’の一部に湾曲面２２’ ’を有している。図３に示すように、正極１０’ ’の湾曲面１２’’と負極２０’’の湾曲面２２’’はいずれも外側方向に向かって湾曲するように形成され、正極１０’’の湾曲面１２’’と負極２０’ ’の湾曲面２２’’は相互に隣接するように配置されている。また、負極２０’’は、平面視において正極１０’’と負極２０’’との間にギャップＧ’’が形成されるように正極１０’’より突出するように配置されている。
【００３２】
上述の第１および第３実施形態のように、湾曲面が「外側」方向に向かって湾曲する場合において、「外側」方向に向かって湾曲した負極の湾曲面の湾曲角度θは、湾曲中心点Ｃを基点として好ましくは４５°以上１３５°以下であり、より好ましくは６０°以上１２０°以下である。なお、ここでいう「湾曲中心点」とは、外側方向に向かって湾曲した湾曲面の一端、外側方向に向かって湾曲した湾曲面の他端、および外側方向に向かって湾曲した湾曲面における一端と他端の中間点のいずれからも等距離にある点を指す。具体的には、図４に示すように、「湾曲中心点」とは、外側方向に向かって湾曲した湾曲面の一端との距離Ｒ、外側方向に向かって湾曲した湾曲面の中間点との距離Ｒ’、および外側方向に向かって湾曲した湾曲面の他端との距離Ｒ’’のいずれもが等しくなる点を指す。具体的には、図４（ａ）に示すように、「湾曲中心点」とは、外側方向に向かって湾曲した湾曲面の一端との距離Ｒ、外側方向に向かって湾曲した湾曲面の中間点との距離Ｒ’、および外側方向に向かって湾曲した湾曲面の他端との距離Ｒ’’のいずれもが等しくなる点を指す。
【００３３】
一方、上述の第２実施形態のように、湾曲面が「内側」方向に向かって湾曲する場合において、「内側」方向に向かって湾曲した負極の湾曲面の湾曲角度θは、湾曲中心点Ｃを基点として好ましくは４５°以上１３５°以下であり、より好ましくは６０°以上１２０°以下である。なお、ここでいう「湾曲中心点」とは、内側方向に向かって湾曲した湾曲面の一端、内側方向に向かって湾曲した湾曲面の他端、および内側方向に向かって湾曲した湾曲面における一端と他端の中間点のいずれからも等距離にある点を指す。具体的には、図４（ｂ）に示すように、「湾曲中心点」とは、内側方向に向かって湾曲した湾曲面の一端との距離Ｒ、内側方向に向かって湾曲した湾曲面の中間点との距離Ｒ’、および内側方向に向かって湾曲した湾曲面の他端との距離Ｒ’’のいずれもが等しくなる点を指す。
【００３４】
ここで、本願発明者らは、上記第１〜第３の実施形態にて平面視における正極（１０、１０’、１０’’）と負極（２０、２０’、２０’’）との間のギャップ（Ｇ、Ｇ’、Ｇ’’）が相対的に大きい場合に生じる「二次電池のエネルギー密度の低下」を防止するために鋭意検討した。
【００３５】
その結果、本願発明者らは、負極の湾曲面の曲率半径Ｒ１と正極の湾曲面の曲率半径Ｒ２との差の絶対値｜Ｒ１−Ｒ２｜をギャップＧで除した値（以下、｜Ｒ１−Ｒ２｜／Ｇと記載する。）が所定範囲であると、好適に「二次電池の高エネルギー密度化」および「正極と負極との短絡防止」が可能となることを見出した。なお、ここでいう「曲率半径」とは、図４に示すように湾曲面の一端、湾曲面の他端、および湾曲面における一端と他端の中間点のいずれからも等距離にある長さを指す。
【００３６】
具体的には、負極の湾曲面の曲率半径Ｒ１と正極の湾曲面の曲率半径Ｒ２とが等しく、それにより｜Ｒ１−Ｒ２｜／Ｇがゼロとなる場合の容量を「１００％」とすると、本願発明者らは下記の実施例１〜４からも分かるように｜Ｒ１−Ｒ２｜／Ｇが０．５０以上１．１０以下の範囲にあると容量が相対的に高くなることを見出した。なお、この場合の曲率半径Ｒ１は３．０ｍｍ以上５００ｍｍ以下であることが好ましい。当該容量が相対的に高くなると、それに起因して二次電池のエネルギー密度を高くすることができる。
【００３７】
また、ギャップＧの長さは、負極として使用されない部分を可能な限り少なくしつつ、外部から衝撃が加わった際に電極（正極・負極）およびセパレータがずれ、それにより正極と負極とが短絡し易くなることを抑制する観点から０．５ｍｍ以上２．０ｍｍ以下であることが好ましい。
【００３８】
また、図示しないが、本発明の一実施形態に係る二次電池では、外装体は、平面視において輪郭面の一部に負極の湾曲面に隣接する外装体湾曲面を有している。一実施形態では、外装体の湾曲面と、正極の湾曲面および負極の湾曲面とが外側方向に向かって湾曲している場合、外装体湾曲面の曲率半径Ｒ３は、外装体内に電極組立体を封入するという観点から負極の湾曲面の曲率半径Ｒ１よりも大きくなることが好ましい。その一方で、別の実施形態では、外装体の湾曲面と、正極の湾曲面および負極の湾曲面とが内側方向に向かって湾曲している場合、外装体湾曲面の曲率半径Ｒ３は、外装体内に電極組立体を封入するという観点から負極の湾曲面の曲率半径Ｒ１よりも小さくなることが好ましい。
【実施例】
【００３９】
実施例１
（Ｇ：０．５ｍｍ、Ｒ１：３．０ｍｍ、正極１０の湾曲面１２と負極２０の湾曲面２２がコーナー部において外側方向に向かって湾曲している場合（図１参照））
｜Ｒ１−Ｒ２｜／Ｇがゼロとなる場合の容量を「１００％」として、正極１０の湾曲面１２の曲率半径Ｒ２値を変化させた場合の容量割合をシミュレーション解析した。その結果を表１に示す。【００４０】
（表１）
2017208531.tif 000003
【００４１】
表１からも分かるように、｜Ｒ１−Ｒ２｜／Ｇが０．５０以上１．１０以下の範囲にあると、｜Ｒ１−Ｒ２｜／Ｇがゼロとなる場合の容量と比べて、容量が相対的に高くなることを見出した。【００４２】
実施例２
（Ｇ：１．０ｍｍ、Ｒ１：２０．０ｍｍ、正極１０’の湾曲面１２’と負極２０’の湾曲面２２’が内側方向に向かって湾曲している場合（図２参照））
｜Ｒ１−Ｒ２｜／Ｇがゼロとなる場合の容量を「１００％」として、正極１０’の湾曲面１２’の曲率半径Ｒ２値を変化させた場合の容量割合をシミュレーション解析した。その結果を表２に示す。【００４３】
（表２）
2017208531.tif 000004
【００４４】
表２からも分かるように、｜Ｒ１−Ｒ２｜／Ｇが０．５０以上１．１０以下の範囲にあると、｜Ｒ１−Ｒ２｜／Ｇがゼロとなる場合の容量と比べて、容量が相対的に高くなることを見出した。【００４５】
実施例３
（Ｇ：２．０ｍｍ、Ｒ１：１０．０ｍｍ、正極１０’’の湾曲面１２’’と負極２０’’の湾曲面２２’’が外側方向に向かって湾曲している場合（図３参照））
｜Ｒ１−Ｒ２｜／Ｇがゼロとなる場合の容量を「１００％」として、正極１０’’の湾曲面１２’’の曲率半径Ｒ２値を変化させた場合の容量割合をシミュレーション解析した。その結果を表３に示す。【００４６】
（表３）
2017208531.tif 000005
【００４７】
表３からも分かるように、｜Ｒ１−Ｒ２｜／Ｇが０．５０以上１．１０以下の範囲にあると、｜Ｒ１−Ｒ２｜／Ｇがゼロとなる場合の容量と比べて、容量が相対的に高くなることを見出した。【００４８】
実施例４
（Ｇ：１．５ｍｍ、Ｒ１：１５０．０ｍｍ、正極１０’’の湾曲面１２’’と負極２０’’の湾曲面２２’’が外側方向に向かって湾曲している場合（図３参照））
｜Ｒ１−Ｒ２｜／Ｇがゼロとなる場合の容量を「１００％」として、正極１０’’の湾曲面１２’’の曲率半径Ｒ２値を変化させた場合の容量割合をシミュレーション解析した。その結果を表４に示す。【００４９】
（表４）
2017208531.tif 000006
【００５０】
表４からも分かるように、｜Ｒ１−Ｒ２｜／Ｇが０．５０以上１．１０以下の範囲にあると、｜Ｒ１−Ｒ２｜／Ｇがゼロとなる場合の容量と比べて、容量が相対的に高くなることを見出した。
【産業上の利用可能性】
【００５１】
本発明の一実施形態に係る二次電池は、蓄電が想定される様々な分野に利用することができる。あくまでも例示にすぎないが、本発明の一実施形態に係る二次電池、特に非水電解質二次電池は、モバイル機器などが使用される電気・情報・通信分野（例えば、携帯電話、スマートフォン、ノートパソコンおよびデジタルカメラなどのモバイル機器分野）、家庭・小型産業用途（例えば、電動工具、ゴルフカート、家庭用・介護用・産業用ロボットの分野）、大型産業用途（例えば、フォークリフト、エレベーター、湾港クレーンの分野）、交通システム分野（例えば、ハイブリッド車、電気自動車、バス、電車、電動アシスト自転車、電動二輪車などの分野）、電力系統用途（例えば、各種発電、ロードコンディショナー、スマートグリッド、一般家庭設置型蓄電システムなどの分野）、ならびに、宇宙・深海用途（例えば、宇宙探査機、潜水調査船などの分野）に利用することができる。
【符号の説明】
【００５２】
１０      正極
１０’    正極
１０’’  正極
１１      正極の輪郭面
１１’    正極の輪郭面
１１’’  正極の輪郭面
１２      正極の湾曲面
１２’    正極の湾曲面
１２’’  正極の湾曲面
１３      正極のコーナー部
１３’    正極のコーナー部
２０      負極
２０’    負極
２０’    負極
２１      負極の輪郭面
２１’    負極の輪郭面
２１’’  負極の輪郭面
２２      負極の湾曲面
２２’    負極の湾曲面
２２’’  負極の湾曲面
２３      負極のコーナー部
２３’    負極のコーナー部
Ｃ        湾曲中心点
θ        湾曲角度
Ｇ        ギャップ
【図１】
2017208531.tif 000007
【図２】
2017208531.tif 000008
【図３】
2017208531.tif 000009
【図４】
2017208531.tif 000010
【国際調査報告】
2017208531.tif 000011
2017208531.tif 000012
2017208531.tif 000013
2017208531.tif 000014